(57)【特許請求の範囲】
【請求項１】
薬剤を充填するための内円筒と、内円筒の支持台の機能を有する外円筒よりなる薬筒であって、
内円筒の下部側面に内円筒の円周方向に沿って一定間隔で複数個のスリットが設けられ、スリット上部の内円筒の外側にネジ部が設けられ、内円筒の底部の中央部に円形の孔が設けられ且つ内円筒の底部に外側に突出する凸部が設けられ、外円筒の上部の内側に、内円筒のネジ部に螺合し且つ薬筒の高さを調節するためのネジ部が設けられ、外円筒の下部に、第一開口部が設けられ且つ第一開口部の反対側に第一開口部よりも小さい第二開口部が設けられてなることを特徴とする薬筒。
【請求項２】
凸部が円形の孔の周囲又は周囲近傍に設けられた突起又は凸条であることを特徴とする請求項１記載の薬筒。
【請求項３】
突起又は凸条の高さが０．５〜３ｍｍであることを特徴とする請求項２記載の薬筒。
【請求項４】
第一開口部及び／又は第二開口部が切欠き部であることを特徴とする請求項１記載の薬筒。
【請求項５】
第一開口部が外円筒を高さ方向に垂直な方向で切断した場合の断面円に対する中心角で９０〜１３０度の範囲で設けられ、第二開口部が前記断面円に対する中心角で５〜２５度の範囲で設けられてなることを特徴とする請求項４記載の薬筒。
【請求項６】
薬剤が固形塩素剤であり且つ浄化槽の消毒に用いられることを特徴とする請求項１記載の薬筒。
【請求項７】
凸部が円形の孔の周囲に設けられた高さ０．５〜３ｍｍの凸条であり、第一開口部が切欠き部であり且つ外円筒を高さ方向に垂直な方向で切断した場合の断面円に対する中心角で９０〜１３０度の範囲で設けられ、第二開口部が切欠き部であり且つ前記断面円に対する中心角で５〜２５度の範囲で設けられ、薬剤が固形塩素剤であり且つ浄化槽の消毒に用いられることを特徴とする請求項１記載の薬筒。
【発明の詳細な説明】
【０００１】
【発明の属する技術分野】
本発明は薬筒、更に詳しくは、汚水の消毒のために使用した場合に、薬剤（例えば、固形塩素剤）の種類の相違、汚水の温度や流量の変動の影響を受けることなく、常に安定した汚水中の薬剤濃度（例えば、塩素濃度）を得ることができ、例えば浄化槽に用いられる消毒用薬筒として好適な薬筒に関するものである。
【０００２】
【従来の技術】
従来より、消毒剤などの薬剤（例えば固形塩素剤）を充填した薬筒を浄化槽の沈澱室から消毒室への汚水の流路に設置し、薬筒の下部に形成した孔を通じて消毒剤と汚水を接触させる汚水処理方法、及びこの方法に使用する薬筒が一般的に知られている。
【０００３】
具体的には例えば、前記汚水処理方法において汚水（処理水）に対して所定の割合で消毒剤を溶解させる手段として、処理水に対する薬筒の浸漬深さを変化させる方法及びその装置（実公昭５０−５２４２号公報）；薬筒の覆管を回転せしめて薬筒における通水孔の開口度を変化させる方法及びその装置（実公昭５０−５６０３号公報）；流水量に応じて処理水の流路に薬筒を複数個設ける方法及びその装置（特公昭５１−１８３９５号公報）；汚水の流路にＶ字状の堰き止め具を設置し堰き止め具の屈曲部に放水口を設け、該放水口の流れ方向に対して後方部分に薬筒を設置する方法及びその装置（実公昭６１−７８４０号公報）；或いは、沈澱室に連接して沈澱室から流出した汚水を集合させる貯留室を設け、薬筒の側壁中間部に縦長状の孔を形成し且つその下部に排水口を設け、この薬筒を貯留室の低部に穿設した通孔に挿嵌して定着し、汚水を薬筒の側壁の縦長状の孔より流下させ、薬筒低部の排水口より流出させ、且つ薬筒を貯留室の低部に穿設した通孔に上下に位置調節できるように設置し、汚水の液温に応じてその高さを調節する方法及びその装置（特開平４−１２６５８８号公報）等が知られている。
【０００４】
【発明が解決しようとする課題】
前記従来技術の方法及び装置では、沈澱室から消毒室に到る汚水の流路に消毒剤などの薬剤を充填した薬筒を設置し、薬筒の下部に形成した孔を通じて薬剤と汚水が接触する。しかしながら、薬剤には性状（例えば大きさ、形状、材質、物性等）を異にする種々のものが存在し、例えば薬剤として消毒剤の一種である固形塩素剤を取り上げてみても、固形塩素剤の種類によっては、例えば塩素化イソシアヌル酸と高度晒粉では水（汚水）に対する溶解性が異なる。それ故、前記従来技術の方法を適用しても、同一の薬筒を用いて、薬剤の種類の相違、汚水の温度や流量の変動の影響を受けることなく、常に安定した汚水中の塩素濃度を得ることはできなかった。
【０００５】
本発明は前記従来技術における問題点を解決するためのものであり、その目的とするところは、水（汚水）に対する溶解性が異なる種々の薬剤を使用した場合でも、汚水の温度や流量の変動の影響を受けることなく、常に安定した汚水中の薬剤濃度を容易に得ることができる薬筒を提供することにある。
【０００６】
【課題を解決するための手段】
即ち本発明の薬筒は、薬剤を充填するための内円筒と、内円筒の支持台の機能を有する外円筒よりなる薬筒であって、
内円筒の下部側面に内円筒の円周方向に沿って一定間隔で複数個のスリットが設けられ、スリット上部の内円筒の外側にネジ部が設けられ、内円筒の底部の中央部に円形の孔が設けられ且つ内円筒の底部に外側に突出する凸部が設けられ、外円筒の上部の内側に、内円筒のネジ部に螺合し且つ薬筒の高さを調節するためのネジ部が設けられ、外円筒の下部に、第一開口部が設けられ且つ第一開口部の反対側に第一開口部よりも小さい第二開口部が設けられてなることを特徴とする〔以下、ｉと称する〕。
【０００７】
本発明の薬筒においては、処理すべき汚水（処理水）の流入口として第一開口部及び第二開口部の何れかを選択することにより、又、内筒及び外筒の何れかを回転させて内円筒のスリットの露出部分（内円筒のスリットと第一開口部又は第二開口部の重なり部分）を調整し且つ薬筒の高さを変えて薬剤の処理水への浸漬深さを加減することにより、薬剤の溶解度が制御される。
【０００８】
【発明の実施の形態】
本発明の薬筒のうち、以下のものが好ましい。
ii) 凸部が円形の孔の周囲又は周囲近傍に設けられた突起又は凸条であるｉの薬筒。
iii)突起又は凸条の高さが０．５〜３ｍｍであるiiの薬筒。
iv) 第一開口部及び／又は第二開口部が切欠き部であるｉの薬筒。
ｖ) 第一開口部が外円筒を高さ方向に垂直な方向で切断した場合の断面円に対する中心角で９０〜１３０度の範囲で設けられ、第二開口部が前記断面円に対する中心角で５〜２５度の範囲で設けられてなるivの薬筒。
vi) 薬剤が固形塩素剤であり且つ浄化槽の消毒に用いられるｉの薬筒。
vii)凸部が円形の孔の周囲に設けられた高さ０．５〜３ｍｍの凸条であり、第一開口部が切欠き部であり且つ外円筒を高さ方向に垂直な方向で切断した場合の断面円に対する中心角で９０〜１３０度の範囲で設けられ、第二開口部が切欠き部であり且つ前記断面円に対する中心角で５〜２５度の範囲で設けられ、薬剤が固形塩素剤であり且つ浄化槽の消毒に用いられるｉの薬筒。
【０００９】
本発明の薬筒において使用することができる薬剤は、例えば消毒剤、殺菌剤、腐蝕防止剤、洗浄剤、着色剤等の中から目的に応じて適宜選択すればよい。更に具体的には、消毒剤は例えば塩素系消毒剤として慣用されるもの、例えば塩素化イソシアヌル酸、高度晒粉等であってよく、これらは特に、固形塩素剤の形態が好ましい。固形塩素剤の大きさ、形状、数は薬筒の大きさに応じて適宜選択してよく、例えば形状は錠剤（例えば円板状）、粒剤（例えば球状，円柱状）などであってよい。
【００１０】
本発明の薬筒は薬剤の種類に応じて種々の用途に使用してよい。薬剤として固形塩素剤を使用した本発明の薬筒は、例えば浄化槽の消毒に用いるのに好適である。
【００１１】
薬筒（内円筒及び外円筒）の材質は、薬剤及び水溶液により腐蝕されないものであればよく、特に限定されないが、通常はポリ塩化ビニル、ポリエチレン、ポリプロピレン等のプラスチック材料が好ましい。これらの材料は単独又は組み合わせて使用することができ、例えば内円筒の材料と外円筒の材料が異なっていてもよい。内円筒及び外円筒の大きさは、用途に応じて、本発明の目的を達成し得る範囲内で適宜選択する。内円筒には適当な蓋を付けることが好ましい。
【００１２】
スリットの大きさ、形状、数は特に限定しないが、例えばスリットの形状が矩形状（又はその変形）である場合には、スリットの高さは内円筒の直径の約１／５〜１／２、スリットの幅（横幅）は内円筒を高さ方向に垂直な方向で切断した場合の断面円に対する中心角で１０〜３０度の範囲が好ましい。又、スリットは内円筒の下端部側面に内円筒の円周方向に沿って、適する数を均等（一定間隔）に設けることが好ましい。
【００１３】
前記スリット上部の内円筒の外側に設けるネジ部は、内円筒の成形時に内円筒の側面をネジ部形状に成形することにより設けてもよいし、又は、別途成形した部材（ネジ部を設けてある）を内円筒の外側に嵌着させることにより設けてもよい。ネジ部の長さは、内円筒の高さの１／２０〜１／５の範囲内にすることが好ましい。
【００１４】
内円筒の底部の中央部に設ける円形の孔は、直径が内円筒の直径の１／１０〜３／１０であることが好ましい。内円筒の底部に外側に突出して設けられる凸部は、円形の孔の周囲（縁）に設けてもよいし、又は、円形の孔の周囲近傍（例えば、縁を取り巻くように）設けてもよい。凸部は、突起（分断されている）であってもよいし、又は、凸条（連続している）であってもよく、その高さは０．５〜３ｍｍの範囲が好ましい。前記凸部は、例えば薬剤として晒粉等を使用する場合に、薬剤が汚水（処理水）を吸収することに伴う薬剤の膨潤や棚づりの現象を防ぐ機能を有している。
【００１５】
本発明の薬筒の外円筒には、内円筒のネジ部に螺合し得るネジ部を設ける。この構造を有することにより、外円筒に対して内円筒を回転させる（又は、内円筒に対して外円筒を回転させる）と外円筒と内円筒の位置関係を変化させ得るので、薬筒の高さを調節することができる。
【００１６】
第一開口部は、貫通孔（周囲に外円筒が残っている）であってもよいし、又は切欠き部（周囲の一部の外円筒が欠けている）であってもよい。第一開口部の大きさ及び形状は適宜選択してよいが、例えば第一開口部が切欠き部である場合には、この切欠き部は、外円筒を高さ方向に垂直な方向で切断した場合の断面円に対する中心角で９０〜１３０度の範囲で設けられることが好ましい。
【００１７】
第二開口部は、第一開口部の反対側に第一開口部よりも小さい設けられ、第一開口部と同様に貫通孔であってもよいし、又は切欠き部であってもよい。第二開口部の大きさ及び形状は適宜選択してよいが、例えば第二開口部が切欠き部である場合には、この切欠き部は、前記断面円に対する中心角で５〜２５度の範囲で設けられることが好ましい。
【００１８】
本発明の薬筒の製造には、射出成形、プレス成形等のプラスチック分野において慣用の方法、及び所望により慣用の後加工方法を使用することができる。
【００１９】
以下、本発明の薬筒の使用方法の一例〔薬剤が固形塩素剤であり、浄化槽の消毒に用いる場合〕を説明する。塩素化イソシアヌル酸を固形塩素剤として用いる場合は通常、外円筒の第一開口部（大きい方の開口部）を汚水の流入口とし、更に、水温とか汚水流量に対応して溶解量を調整する場合は、外円筒を回転させることにより内円筒のスリットの露出部分を調整し、汚水の流入量を制御する。加えて、前記回転により薬筒の高さも調節し得るので、処理水への薬剤（錠剤）の浸漬深さを加減し、薬剤（錠剤）の溶解度を制御し、好ましい塩素濃度を保つようにすることができる。
【００２０】
塩素化イソシアヌル酸より溶解性の高い高度晒粉を薬剤として用いる場合は、前記と反対に外筒の第二開口部（小さい方の開口部）を汚水の流入口とし、以下前記と同様にして、好ましい塩素濃度を保つようにすることができる。
【００２１】
【実施例】
以下、実施例と比較例によって本発明を更に詳細に説明するが、これらの実施例により本発明は何等制限されるものではない。
実施例１
ポリ塩化ビニル樹脂を使用して、実施例１の本発明の薬筒を製造した。尚、内円筒用のポリ塩化ビニル樹脂は透明なものを、外円筒用のポリ塩化ビニル樹脂は着色（灰色）されているものを使用した。
【００２２】
図１は、実施例１の本発明の薬筒の説明図である。図１（ａ）は正面図を、図１（ｂ）は底面図を示す。各部の寸法の単位はｍｍである。内円筒１は外径（ＯＤ）８９ｍｍ、内径（ＩＤ）８７ｍｍ、高さ２９０ｍｍである。内円筒１の下部側面には、内円筒１の円周方向に沿って一定間隔で、幅１５ｍｍ，高さ３０ｍｍのスリット２が計６個設けられている。スリット２の上部の内円筒１の外側には、ネジ部３が設けられている。又、内円筒１の底部の中央部には円形の孔４が設けられており、更に前記底部の孔４の周囲近傍には、高さ１ｍｍの矩形状に外側に突出した突起５が計４個設けられている。内円筒１の上端部には蓋６が被せられている。外円筒７は外径１００ｍｍ、内径９６ｍｍ、高さ８０ｍｍである。外円筒７の上部の内側には、下端より４０ｍｍ〜８０ｍｍ（３０ｍｍ〜７０ｍｍであってもよい）のところに、内円筒１のネジ部３に螺合し且つ薬筒の高さを調節するためのネジ部８が設けられている。
【００２３】
図２は、実施例１の本発明の薬筒を内円筒１と外円筒７とに分けた説明図である。図２の（１−ａ）は内円筒１の正面図を、図２の（１−ｂ）は底面図を示す。円形の孔４は直径２５ｍｍであり、又、スリット２は１個のみを示す。図２の（２−ａ）は外円筒７の正面図を、図２の（２−ｂ）は底面図を示す。外円筒７の下部には、高さ４０ｍｍの第一切欠き部９が設けられ且つ第一切欠き部９の反対側に第一切欠き部９よりも小さい高さ４０ｍｍの第二切欠き部１０が設けられている。この場合、第一切欠き部９は外円筒７を高さ方向に垂直な方向で切断した場合の断面円に対する中心角が１２０°であり、又、第二切欠き部１０は前記断面円に対する中心角が２０°である。
【００２４】
実施例２
図３に、実施例２の本発明の薬筒の内円筒１の底面図を示す。実施例２の薬筒は、実施例１の薬筒における突起５の代わりに孔４の周囲に設けられた凸状１１（高さ１ｍｍ）を有すること以外は、実施例１の薬筒と同一である。
【００２５】
比較例
図４は、比較例の薬筒（従来の薬筒）の説明図である。比較例の薬筒もポリ塩化ビニル樹脂を使用し、本発明の薬筒と同様にして製造した。図４（ａ）は正面図を、図４（ｂ）は底面図を示す。各部の寸法の単位はｍｍである。内円筒１２は外径（ＯＤ）８０ｍｍ、内径（ＩＤ）７８ｍｍ、高さ２７０ｍｍである。内円筒１２の下部側面には、内円筒１２の円周方向に沿って一定間隔で、幅２０ｍｍ，高さ１５ｍｍのスリット１３が計３個設けられている。スリット１３の上部の内円筒１２の外側には、ネジ部１４（図５参照）が設けられている。又、内円筒１２の底部の中央部には円形の孔１５が設けられており、更に前記底部の孔１５の周囲近傍には、高さ１ｍｍの矩形状に外側に突出した突起１６が計４個設けられている。内円筒１２の上端部には蓋１７が被せられている。外円筒１８は外径９０ｍｍ、内径８６ｍｍ、高さ８０ｍｍである。外円筒１８の上部の内側には、下端よりほぼ６５ｍｍのところに、内円筒１２のネジ部１４に螺合するが、しかし本発明の場合と異なり薬筒の高さを調節することはできないネジ部１９（図５参照）が設けられている。
【００２６】
図５は、比較例の薬筒を内円筒１２と外円筒１８とに分けた説明図である。図５の（１−ａ）は内円筒１２の正面図を、図５の（１−ｂ）は底面図を示す。円形の孔１５は直径２５ｍｍである。図５の（２−ａ）は外円筒１８の正面図を、図５の（２−ｂ）は底面図を示す。外円筒１８の下部には、高さ５０ｍｍの切欠き部２０が設けられている。この場合、切欠き部２０は外円筒１８を高さ方向に垂直な方向で切断した場合の断面円に対する中心角が１２０°である。
【００２７】
性能評価試験
試験１
本発明の実施例１の薬筒に、薬剤としてトリクロロイソシアヌル酸の錠剤（直径３０ｍｍ，厚さ１１ｍｍ，重さ１５ｇ）をバラバラの状態で約１ｋｇ充填し、小型合併浄化槽（７人槽）の沈澱室から消毒室への汚水の流路に設置した。尚、この際に外筒の第一開口部は汚水の流れ方向に向け、又、外筒を回して内筒の最下部より２ｍｍ低く外筒の最下部を下ろした。１週間に一度の頻度で消毒室から処理水をサンプリングし残留塩素の濃度を測定し、用いた薬筒からの薬剤の溶出状況を観察した。
【００２８】
試験２
薬剤としてトリクロロイソシアヌル酸の錠剤の代わりに高度晒粉よりなる錠剤（直径；３０ｍｍ、厚さ；１４ｍｍ、重さ；２０ｇ）を用い、外筒の第一開口部を汚水の流れと反対の方向に向け、又、外筒を回して内筒の最下部より３ｍｍ低く外筒の最下部を下ろしたこと以外は、試験１と同じである。
【００２９】
試験３
直径７０ｍｍ，厚さ２７ｍｍ、重さ２００ｇの錠剤はを用い、整列充填したこと以外は、試験１と同じである。
【００３０】
試験４
直径７０ｍｍ，厚さ２７ｍｍ、重さ２００ｇの錠剤はを用い、整列充填したこと以外は、試験２と同じである。
【００３１】
試験５〜７
比較例の薬筒に、下記表１に示す薬剤を１ｋｇ充填し、試験例１と同様に評価した。
【００３２】
試験例１〜７の結果を、下記表１にまとめて示す。
【表１】
0003643939.tif 000002
【００３３】
表１から明らかなように、本発明の薬筒を用いた試験例１〜４では残留塩素濃度が非常に安定しており、安定した濃度で塩素が汚水中に流出していたことが判る。又、整列充填した試験例３，４でも、錠剤は長期間経過後も薬筒内でケーキングやブリッジ現象を起こさなかった。これに対して、従来の薬筒を用いた試験例５〜７では残留塩素濃度が非常に不安定である。特に比較例７では、約１ケ月以降から薬筒の中で錠剤がケーキングし、ブリッジ現象を起こしたので、残留塩素が殆ど検出されなかった。
【００３４】
【発明の効果】
本発明の薬筒は前記構成を有するので、水（汚水）に対する溶解性が異なる種々の薬剤を使用した場合でも、汚水の温度や流量の変動の影響を受けることなく、常に安定した汚水中の薬剤濃度を容易に得ることができる。又、本発明の薬筒は、薬剤の種類を変えることにより種々の用途に対応することができるので、適用範囲が広い。
【００３５】
本発明の薬筒において、凸部を、内円筒の底部の中央部に設けられた円形の孔の周囲又は周囲近傍に設けられた突起又は凸条（高さは、０．５〜３ｍｍが好ましい）とすると、薬剤が汚水（処理水）を吸収することに伴う薬剤の膨潤や棚づりの現象を有効に防ぐことができる。
【００３６】
本発明の薬筒において、第一開口部（外円筒を高さ方向に垂直な方向で切断した場合の断面円に対する中心角で９０〜１３０度の範囲で設けることが好ましい）及び／又は第二開口部（前記断面円に対する中心角で５〜２５度の範囲で設けることが好ましい）を切欠き部とすると、第一開口部及び／又は第二開口部が形成し易い。
【００３７】
本発明の薬筒は、薬剤を固形塩素剤として浄化槽の消毒に用いた場合に特に有用であり、とりわけ、凸部が円形の孔の周囲に設けられた高さ０．５〜３ｍｍの凸条であり、第一開口部が切欠き部であり且つ外円筒を高さ方向に垂直な方向で切断した場合の断面円に対する中心角で９０〜１３０度の範囲で設けられ、第二開口部が切欠き部であり且つ前記断面円に対する中心角で５〜２５度の範囲で設けられた本発明の薬筒を、前記用途に用いた場合が最も有用である。
【図面の簡単な説明】
【図１】実施例１の本発明の薬筒の説明図である。
【図２】実施例１の本発明の薬筒を内円筒と外円筒とに分けた説明図である。
【図３】実施例２の本発明の薬筒の内円筒の底面図である。
【図４】比較例の薬筒（従来の薬筒）の説明図である。
【図５】比較例の薬筒を内円筒と外円筒とに分けた説明図である。
【符号の説明】
１，１２：内円筒
２，１３：スリット
３，８，１４，１９：ネジ部
４，１５：孔
５，１６：突起
６，１７：蓋
７，１８：外円筒
９：第一切欠き部
１０：第二切欠き部
１１：凸条
２０：切欠き部
【図１】
0003643939.tif 000003
【図２】
0003643939.tif 000004
【図３】
0003643939.tif 000005
【図４】
0003643939.tif 000006
【図５】
0003643939.tif 000007